(57)【特許請求の範囲】
【請求項１】
洗浄水吐出用のノズルへの洗浄水の供給を、磁力やばね力で開状態及び閉状態を保持する保持式電磁弁を通じて行う温水洗浄便器において、保持式電磁弁に出力パルスを出力することで保持式電磁弁の開閉状態を変化させる制御部として、電源立ち上がり時に保持式電磁弁に閉出力パルスを出力するものを用いていることを特徴とする温水洗浄便器。
【発明の詳細な説明】
【０００１】
【発明の属する技術分野】
本発明は温水洗浄便器、殊に保持式電磁弁を用いて水路の開閉を行っている温水洗浄便器に関するものである。
【０００２】
【従来の技術】
温水洗浄便器は、図７に示すように、臀部用及びビデ用の２つのノズル５ａ，５ｂへの温水供給路の開閉を、着座スイッチＳや操作スイッチＳＷ１，ＳＷ２，ＳＷ３の操作に応じて制御部１により制御される電磁弁Ｖ１，Ｖ２で行うものとして構成されている。図中６はミキシングユニット、７は温水サーミスタ、Ｖ３は冷水除去用の電磁弁である。
【０００３】
そして上記の各電磁弁Ｖ１，Ｖ２，Ｖ３には、一般に保持式電磁弁Ｖが用いられている。図８にこの形式の電磁弁Ｖの一例を示す。なお、図８において左側は閉じた状態を、右側は開いた状態を示す。ダイアフラムで形成された弁体２０が弁座２１に接することで水路を閉じる該電磁弁Ｖの弁体２０は、ソレノイドＳＬにおけるプランジャー２２に直結されたものではなく、ばね２３によって閉じる方向に付勢されたものとなっている。なお、図中イが流入路、ロが吐出路である。また、上記流入路イと弁体２０の上方空間ハとは弁体２０に設けられた小孔（図示せず）を通じて連通しており、上記上方空間ハと連通する空間ニには排水路ホに至る排水口２４が開口している。
【０００４】
上記プランジャー２２は下方に位置する時に上記排水口２４を閉じ、上方に位置する時に排水口２４を開くもので、ばね２５によって下方側に付勢されている。そして、ソレノイドＳＬにおけるコイル２６を囲んでいるヨーク２７，２８と、プランジャー２２の上方に配された固定鉄芯２９とは永久磁石Ｍによって磁化されており、該永久磁石Ｍの磁力によって、プランジャー２２は排水口２４を閉じた状態及び開いた状態を共に保つものとなっている。
【０００５】
今、図８の左側に示すように、プランジャー２２が下降して排水口２４を閉じている時、流入路イから空間ハ・ニに侵入した水は、流入路イ側と同じ水圧を持つために、弁体２０はばね２３の圧力もあって弁座２１に接しており、このために流入路イから吐出路ロへの水の流れは遮断されている。
この状態でソレノイドＳＬのコイル２６に通電してプランジャー２２をばね２５に抗して引き上げて排水口２４を開けば、空間ハ・ニ内の水が排水路ホへ逃げるために、図８の右側に示すように、流入路イの水はその圧力で弁体２０をばね２３に抗して押し上て吐出路ロへと向かう。プランジャー２２が上昇して排水口２４を開いている状態は、永久磁石Ｍによる磁力で保たれるために、上記コイル２６への通電は初期のみでよい。
【０００６】
電磁弁Ｖを閉じる時は、先程は逆方向の電流をコイル２６に流せばよい。プランジャー２２が下降して排水口２４を閉じるために、弁体２０はその上下面の水圧差及びばね２３による付勢で弁座２１に接して流入路イから吐出路ロへの流れを遮断する。また、プランジャー２２が排水口２４を閉じている状態も、ばね２５の圧力及び永久磁石Ｍのヨーク２８，２９を通じた磁力で保持されることから、やはりコイル２６への通電は初期のみでよい。
【０００７】
図９は保持式電磁弁Ｖの駆動回路Ｄの一例を示している。マイクロコンピュータからなる制御部１の開出力ポート１１からの出力パルスにより、電磁弁ＶのソレノイドＳＬに一方向電流パルスが供給され、制御部１の閉出力ポート１２からの出力パルスによりソレノイドＳＬに逆方向電流パルスが供給される。
【０００８】
【発明が解決しようとする課題】
上記のような保持式電磁弁Ｖを用いた場合、閉状態、あるいは開状態の保持に電力を必要とせず、消費電力を抑えることができるのであるが、永久磁石Ｍの磁力やばね力に頼る保持であるために、時として次のような問題を招く。
すなわち、輸送時の振動や電磁弁Ｖへの機械的ストレスにより、本来ならば閉じていなくてはならない状態の時に開いた状態となってしまうことがあり、この場合、施工直後に電磁弁Ｖに水を送るとノズル５ａ，５ｂから水が出て周囲に飛散してしまうことになる。
【０００９】
本発明はこのような点に鑑み為されたものであり、その目的とするところは保持式電磁弁に何らかの原因で開閉状態の反転があってもノズルからの水の飛散を防ぐことができる温水洗浄便器を提供するにある。
【００１０】
【課題を解決するための手段】
しかして本発明は、洗浄水吐出用のノズルへの洗浄水の供給を、磁力やばね力で開状態及び閉状態を保持する保持式電磁弁を通じて行う温水洗浄便器において、保持式電磁弁に出力パルスを出力することで保持式電磁弁の開閉状態を変化させる制御部として、電源立ち上がり時に保持式電磁弁に閉出力パルスを出力するものを用いていることに特徴を有している。
【００１１】
輸送時の振動等で本来閉じているべき保持式電磁弁が開状態となっていても、電源との接続によって保持式電磁弁は閉じられた状態に強制セットされるものである。
【００１２】
【発明の実施の形態】
本発明の実施の形態の一例について説明すると、本発明においては電磁弁Ｖの動作制御を行う制御部１に電源投入による立ち上がり時の動作として図１のフローチャート及び図２のタイムチャートに示す動作を行わせる。つまり、マイクロコンピュータからなる制御部１は電源投入の立ち上がりでリセット動作と初期設定動作とを行うのであるが、この後、電磁弁Ｖ１，Ｖ２，Ｖ３に対する閉出力動作を複数回（図示例では２回）行うようになっている。
【００１３】
このために輸送時の振動などで本来閉じているべき電磁弁Ｖ１，Ｖ２，Ｖ３が開いた状態となっているとともにこの状態が永久磁石Ｍの磁力によって保たれていても、電源との接続時に閉じられてしまうものであり、このために水がノズル５ａ，５ｂから噴出して周囲を濡らしてしまうということがない。
図３は外来ノイズによる誤動作対策として、電源供給許可回路７を設けたものを示している。電磁弁駆動回路Ｄは図９に示したように、開出力パルスを受けると該出力パルスが出力されている間、スイッチング素子Ｑ１，Ｑ２，Ｑ３がオンして電磁弁ＶのソレノイドＳＬに一方向電流を流し、閉出力パルスを受けると該出力パルスが出力されている間、スイッチング素子Ｑ４，Ｑ５，Ｑ６がオンしてソレノイドＳＬに逆方向電流を流すのであるが、外来ノイズでスイッチング素子Ｑ１もしくはスイッチング素子Ｑ４がオンしてもソレノイドＳＬに電流が流れてしまう。
【００１４】
上記電源許可回路７は上記外来ノイズによる誤動作を防ぐために、電磁弁駆動回路Ｄ及び電磁弁Ｖへの電源供給を、制御部１から閉出力パルスもしくは開出力パルスが出力される時だけ行うようにしているもので、具体的には図４に示すように、直流電源のプラス側を電源許可回路７のトランジスタＱ７のエミッターコレクタに接続し、トランジスタＱ７のコレクタと電磁弁駆動回路Ｄのプラス側とを接続するとともに、トランジスタＱ７のベースをトランジスタＱ８を介して制御部１の許可出力ポート１３に接続する。
【００１５】
そして制御部１は開出力ポート１１及び閉出力ポート１２から出力パルスを出力する時、図５に示すように、許可出力ポート１３から同時に許可出力パルスを出力することで、トランジスタＱ８を介してトランジスタＱ７をオンさせて、電磁弁駆動回路Ｄ及び電磁弁Ｖに電源を供給する。許可出力パルスが出力されていない時には、電磁弁駆動回路Ｄ及び電磁弁Ｖに電源が供給されないために、外来ノイズによる誤動作が生じないものである。
【００１６】
上記トランジスタＱ７のエミッタ−コレクタ間には図６に示すようにダイオードＤ１を接続しておくことが好ましい。トランジスタＱ７がオフとなる時、電磁弁ＶのソレノイドＳＬのコイル２６からの逆電流がトランジスタＱ７に流れようとするが、この逆起電流はダイオードＤ１に流れるために、トランジスタＱ７のコレクタ−エミッタ間に逆起電圧が発生せず、従って逆起電圧によるトランジスタＱ７の損傷を防ぐことができる。
【００１７】
【発明の効果】
以上のように本発明においては、洗浄水吐出用のノズルへの洗浄水の供給を、磁力やばね力で開状態及び閉状態を保持する保持式電磁弁を通じて行う温水洗浄便器において、保持式電磁弁に出力パルスを出力することで保持式電磁弁の開閉状態を変化させる制御部として、電源立ち上がり時に保持式電磁弁に閉出力パルスを出力するものを用いているために、輸送時の振動等で本来閉じているべき保持式電磁弁が開状態となっていても、電源との接続によって保持式電磁弁は閉じられた状態に強制セットされるものであり、このために施工直後に洗浄水吐出用のノズルからの水が周囲に飛散してしまうことがないものである。
【図面の簡単な説明】
【図１】本発明の実施の形態の一例におけるフローチャートである。
【図２】同上の動作を示すタイムチャートである。
【図３】他例のブロック回路図である。
【図４】同上の電源許可回路の具体回路図である。
【図５】同上の動作を示すタイムチャートである。
【図６】同上の電源許可回路の他例の具体回路図である。
【図７】温水洗浄便器の全体構成のブロック図である。
【図８】保持式電磁弁の一例の断面図である。
【図９】保持式電磁弁の駆動回路を示す回路図である。
【図１】
0003620271.tif 000002
【図２】
0003620271.tif 000003
【図３】
0003620271.tif 000004
【図４】
0003620271.tif 000005
【図５】
0003620271.tif 000006
【図６】
0003620271.tif 000007
【図７】
0003620271.tif 000008
【図８】
0003620271.tif 000009
【図９】
0003620271.tif 000010